(57)【特許請求の範囲】
【請求項１】
室内の人の存在の有無を検知する人検知センサ（４０）と、この人検知センサ（４０）から受ける情報に基づいた制御を行う制御部と、前記人検知センサ（４０）と前記制御部とを接続する第一ハーネス（４２）と、前記人検知センサ（４０）と前記制御部とを接続する第二ハーネス（４５）と、前記制御部を収容し、かつ、室内側に開いた開口と、室内から取り込んだ空気を第一方向に吹き出す第一吹出口（ｂ１）、第二方向に吹き出す第二吹出口（ｂ２）、第三方向に吹き出す第三吹出口（ｂ３）及び第四方向に吹き出す第四吹出口（ｂ４）とを有するケーシングと、各吹出口（ｂ１〜ｂ４）から吹き出すそれぞれの風の方向を変更する第一風向板（ｄ１）、第二風向板（ｄ２）、第三風向板（ｄ３）及び第四風向板（ｄ４）と、室内の空気を取り込む吸込口（１１ａ）を有し、かつ、前記ケーシングの開口を塞ぐように当該ケーシングに取り付けられるとともに前記人検知センサ（４０）を室内と対向させることが可能な形状を有する化粧板（１１）とを備える室内機であって、
前記制御部は、前記第一風向板（ｄ１）の制御を行う第一制御部と、前記第二風向板（ｄ２）の制御を行う第二制御部と、前記第三風向板（ｄ３）の制御を行う第三制御部と、前記第四風向板（ｄ４）の制御を行う第四制御部とを有し、
前記人検知センサ（４０）は、各吹出口のうちの所定の吹出口から吹き出される風の方向における人の有無を検知可能な第一センサ部（４０ａ）と、前記第一センサ部（４０ａ）が検知する方向とは異なる方向の吹出口から吹き出される風の方向における人の有無を検知可能な第二センサ部（４０ｂ）と、前記第一センサ部（４０ａ）及び前記第二センサ部（４０ｂ）が検知するそれぞれの方向とは異なる方向の吹出口から吹き出される風の方向における人の有無を検知可能な第三センサ部（４０ｃ）と、前記第一センサ部（４０ａ）、前記第二センサ部（４０ｂ）及び前記第三センサ部（４０ｃ）が検知するそれぞれの方向とは異なる方向の吹出口から吹き出される風の方向における人の有無を検知可能な第四センサ部（４０ｄ）とを有し、所定の向きで前記化粧板（１１）に対して位置決めされており、
前記化粧板（１１）は、前記吸込口（１１ａ）内に設けられる吸込グリル（１１ｂ）をさらに有し、この吸込グリル（１１ｂ）は、方向性のあるデザインを有し、
前記化粧板（１１）は、前記デザインが特定の方向を向く第一態様と、前記特定の方向と直交する方向を向く第二態様との間で前記ケーシングに対して着脱可能な構造を有し、
前記第一ハーネス（４２）は、前記化粧板（１１）が前記第一態様で取り付けられたときに選択的に用いられるものであって、前記第一態様における各センサ部が検知した情報を、それぞれのセンサ部が検知した方向の風向板を制御する各制御部に送り、前記第二ハーネス（４５）は、前記化粧板（１１）が前記第二態様で取り付けられたときに選択的に用いられるものであって、前記第二態様における各センサ部で検知した情報を、それぞれのセンサ部が検知した方向の風向板を制御する各制御部に送る室内機。
【請求項２】
室内の人の存在の有無を検知する人検知センサ（４０）と、この人検知センサ（４０）から受ける情報に基づいた制御を行う制御部と、前記人検知センサ（４０）と前記制御部とを接続する第一ハーネス（４２）と、前記人検知センサ（４０）と前記制御部とを接続する第二ハーネス（４５）と、前記制御部を収容し、かつ、室内側に開いた開口と、室内から取り込んだ空気を第一方向に吹き出す第一吹出口（ｂ１）、第二方向に吹き出す第二吹出口（ｂ２）、第三方向に吹き出す第三吹出口（ｂ３）及び第四方向に吹き出す第四吹出口（ｂ４）とを有するケーシングと、各吹出口（ｂ１〜ｂ４）から吹き出すそれぞれの風の方向を変更する第一風向板（ｄ１）、第二風向板（ｄ２）、第三風向板（ｄ３）及び第四風向板（ｄ４）と、室内の空気を取り込む吸込口（１１ａ）を有し、かつ、前記ケーシングの開口を塞ぐように当該ケーシングに取り付けられるとともに前記人検知センサ（４０）を室内と対向させることが可能な形状を有する化粧板（１１）とを備える室内機であって、
前記制御部は、前記第一風向板（ｄ１）の制御を行う第一制御部と、前記第二風向板（ｄ２）の制御を行う第二制御部と、前記第三風向板（ｄ３）の制御を行う第三制御部と、前記第四風向板（ｄ４）の制御を行う第四制御部とを有し、
前記人検知センサ（４０）は、各吹出口のうちの所定の吹出口から吹き出される風の方向における人の有無を検知可能な第一センサ部（４０ａ）と、前記第一センサ部（４０ａ）が検知する方向とは異なる方向の吹出口から吹き出される風の方向における人の有無を検知可能な第二センサ部（４０ｂ）と、前記第一センサ部（４０ａ）及び前記第二センサ部（４０ｂ）が検知するそれぞれの方向とは異なる方向の吹出口から吹き出される風の方向における人の有無を検知可能な第三センサ部（４０ｃ）と、前記第一センサ部（４０ａ）、前記第二センサ部（４０ｂ）及び前記第三センサ部（４０ｃ）が検知するそれぞれの方向とは異なる方向の吹出口から吹き出される風の方向における人の有無を検知可能な第四センサ部（４０ｄ）とを有し、所定の向きで前記化粧板（１１）に対して位置決めされており、
前記化粧板（１１）は、互いに対向する二つの辺を有し、そのうちの一方の辺を回動中心として他方の辺が室内側に開いた開状態と当該他方の辺が前記ケーシングに固定された閉状態との間で変位可能であり、かつ、前記一方の辺と前記他方の辺とを結ぶ方向が特定の方向を向く第一態様と、前記特定の方向と直交する方向を向く第二態様との間で前記ケーシングに対して着脱可能な構造を有し、
前記第一ハーネス（４２）は、前記化粧板（１１）が前記第一態様で取り付けられたときに選択的に用いられるものであって、前記第一態様における各センサ部が検知した情報を、それぞれのセンサ部が検知した方向の風向板を制御する各制御部に送り、前記第二ハーネス（４５）は、前記化粧板（１１）が前記第二態様で取り付けられたときに選択的に用いられるものであって、前記第二態様における各センサ部で検知した情報を、それぞれのセンサ部が検知した方向の風向板を制御する各制御部に送る室内機。
【請求項３】
請求項１又は２に記載の室内機において、
前記第一ハーネス（４２）は、前記人検知センサ（４０）が前記第一態様に配置されたときに前記制御部と接続可能な長さ寸法を有し、
前記第二ハーネス（４５）は、前記第一ハーネス（４２）の長さ寸法と異なり、かつ、前記人検知センサ（４０）が前記第二態様に配置されたときに前記制御部と接続可能な長さ寸法を有する室内機。
【請求項４】
請求項１ないし３のいずれか１項に記載の室内機において、
前記化粧板（１１）は、前記人検知センサ（４０）を室内側に露出させる形状のセンサ用開口（１１ｅ）を有し、
前記ケーシング内には、前記第一態様にある化粧板（１１）の前記センサ用開口（１１ｅ）に応じた位置で前記人検知センサ（４０）を支持可能な第一支持部（４１ａ）と、前記第二態様にある化粧板（１１）の前記センサ用開口（１１ｅ）に応じた位置で前記人検知センサ（４０）を支持可能な第二支持部（４１ｂ）が設けられている室内機。
【請求項５】
請求項１ないし４のいずれか１項に記載の室内機において、
前記第一センサ部（４０ａ）、前記第二センサ部（４０ｂ）、前記第三センサ部（４０ｃ）及び前記第四センサ部（４０ｄ）は、この順で周方向に右回り、あるいは、左回りに９０度間隔で配置されており、
前記第一態様では、前記第一センサ部（４０ａ）が前記第一吹出口（ｂ１）から吹き出される風の方向における人の有無を検知し、前記第二センサ部（４０ｂ）が前記第二吹出口（ｂ２）から吹き出される風の方向における人の有無を検知し、前記第三センサ部（４０ｃ）が前記第三吹出口（ｂ３）から吹き出される風の方向における人の有無を検知し、前記第四センサ部（４０ｄ）が前記第四吹出口（ｂ４）から吹き出される風の方向における人の有無を検知し、
前記第二態様では、前記第一センサ部（４０ａ）が前記第四吹出口（ｂ４）から吹き出される風の方向における人の有無を検知し、前記第二センサ部（４０ｂ）が前記第一吹出口（ｂ１）から吹き出される風の方向における人の有無を検知し、前記第三センサ部（４０ｃ）が前記第二吹出口（ｂ２）から吹き出される風の方向における人の有無を検知し、前記第四センサ部（４０ｄ）が前記第三吹出口（ｂ３）から吹き出される風の方向における人の有無を検知するか、あるいは、前記第一センサ部（４０ａ）が前記第二吹出口（ｂ２）から吹き出される風の方向における人の有無を検知し、前記第二センサ部（４０ｂ）が前記第三吹出口（ｂ３）から吹き出される風の方向における人の有無を検知し、前記第三センサ部（４０ｃ）が前記第四吹出口（ｂ４）から吹き出される風の方向における人の有無を検知し、前記第四センサ部（４０ｄ）が前記第一吹出口（ｂ１）から吹き出される風の方向における人の有無を検知し、
前記第一ハーネス（４２）は、前記第一センサ部（４０ａ）が検知した前記第一方向の情報を前記第一制御部に送る第一電線（４２ａ）と、前記第二センサ部（４０ｂ）が検知した前記第二方向の情報を前記第二制御部に送る第二電線（４２ｂ）と、前記第三センサ部（４０ｃ）が検知した前記第三方向の情報を前記第三制御部に送る第三電線（４２ｃ）と、前記第四センサ部（４０ｄ）が検知した前記第四方向の情報を前記第四制御部に送る第四電線（４２ｄ）とを有し、
前記第二ハーネス（４５）は、前記第二センサ部（４０ｂ）が検知した前記第一方向又は前記第三方向の情報を前記第一制御部又は前記第三制御部に送る第一電線（４５ａ）と、前記第三センサ部（４０ｃ）が検知した前記第二方向又は前記第四方向の情報を前記第二制御部又は前記第四制御部に送る第二電線（４５ｂ）と、前記第四センサ部（４０ｄ）が検知した前記第三方向又は前記第一方向の情報を前記第三制御部又は前記第一制御部に送る第三電線（４５ｃ）と、前記第一センサ部（４０ａ）が検知した前記第四方向又は前記第二方向の情報を前記第四制御部又は前記第二制御部に送る第四電線（４５ｄ）とを有する室内機。
【発明の詳細な説明】
【技術分野】
【０００１】
本発明は、空気調和装置における室内機に関し、特に、天井吊下型や天井埋込型の室内機に関するものである。
【背景技術】
【０００２】
従来、空気調和装置における天井埋込型の室内機として、例えば下記特許文献１に示すものが知られている。この特許文献１に記載の室内機は、ケーシングの下面中央部から室内の空気を吸い込み、その空気を熱交換器で熱交換させた後、ケーシング下面に設けられた四つの吹出口から風を吹き出すものである。
【０００３】
この室内機は、室内の人の存在の有無を検知する人検知センサと、この人検知センサから受ける情報に基づいた制御を行う制御部と、前記制御部を収容し、かつ、室内側に開いた開口と、室内から取り込んだ空気を第一方向に吹き出す第一吹出口、第二方向に吹き出す第二吹出口、第三方向に吹き出す第三吹出口及び第四方向に吹き出す第四吹出口とを有するケーシングと、各吹出口から吹き出すそれぞれの風の方向を変更する第一風向板、第二風向板、第三風向板及び第四風向板と、前記ケーシングの開口を塞ぐ形状を有する化粧パネルとを備える。前記化粧パネルは、各吹出口と対応する位置に設けられた第一吹出部〜第四吹出部及び前記人検知センサを支持する支持部を有するパネル本体と、このパネル本体の中央部に設けられており室内側に開閉可能な化粧板とを有する。
【０００４】
前記化粧板は、室内の空気を吸い込む吸込口と、この吸込口内に設けられた吸込グリルとを有する。この化粧板は、略矩形状を呈し、その特定の一端側の辺を回動中心として、その他端側の辺が室内側に変位するように回動しながら開くことができる。前記吸込グリルは、前記第一吹出部が設けられた側の辺と前記第三吹出部が設けられた側の辺とを結ぶ方向に延びる第一桟部材と、前記第二吹出部が設けられた側の辺と前記第四吹出部が設けられた側の辺とを結ぶ方向に延びる第二桟部材とを有する。前記第一桟部材は、その数が前記第二桟部材の数よりも多く、かつ、両者は互いに直交している。つまり、この吸込グリルは、方向性のあるデザインを有する。
【０００５】
前記人検知センサは、人の有無を検知する方向が各吹出口と対応付けられている。すなわち、この人検知センサは、前記第一吹出口から風を吹き出す第一方向の人の有無を検知する第一センサ部と、前記第二吹出口から風を吹き出す第二方向の人の有無を検知する第二センサ部と、前記第三吹出口から風を吹き出す第三方向の人の有無を検知する第三センサ部と、前記第四吹出口から風を吹き出す第四方向の人の有無を検知する第四センサ部とを有する。
【０００６】
前記制御部は、前記第一センサ部から受けた情報に基づいて前記第一風向板の制御を行う第一制御部と、前記第二センサ部から受けた情報に基づいて前記第二風向板の制御を行う第二制御部と、前記第三センサ部から受けた情報に基づいて前記第三風向板の制御を行う第三制御部と、前記第四センサ部から受けた情報に基づいて前記第四風向板の制御を行う第四制御部とを有する。
【０００７】
したがって、この室内機は、各吹出口から吹き出す風の向き等が調整可能である。また、この室内機は、天井内に引き回された天井内配管と接続するための配管を有し、この配管は、前記ケーシングから所定の方向に突出する。
【先行技術文献】
【特許文献】
【０００８】
【特許文献１】特開２０１１−１７４６９３号公報
【発明の概要】
【発明が解決しようとする課題】
【０００９】
上記文献１に記載される人検知センサは、パネル本体の隅角部に配置されているが、より化粧パネルの中央寄りに配置したいという要望がある。そこで、この人検知センサを、化粧板における前記吸込口のすぐ外側に配置させることが考えられる。
【００１０】
ここで、上記文献１に記載される室内機を設置する際、当該室内機の配管と天井内配管との接続が行われる。この室内機の配管は特定の方向に突出しているので、天井内配管の向きによって、前記吸込グリルの第一桟部材の長手方向、すなわち、当該吸込グリルのデザインの方向や、前記化粧板の開く方向が決定される。この点に関し、前記天井内配管の向きにかかわらず、前記デザインの方向や、前記化粧板の開く方向を所望の方向と一致させたいという要望がある。
【００１１】
そこで、前記吸込グリルを有する化粧板を、前記第一桟部材の長手方向が前記第一吹出部が設けられる側の辺と前記第三吹出部が設けられる側の辺とを結ぶ方向と平行となる第一態様（従来の態様）と、前記第一桟部材の長手方向が前記第二吹出部が設けられる側の辺と前記第四吹出部が設けられる側の辺とを結ぶ方向と平行となる第二態様との間で前記ケーシングに対して着脱可能な構造とすること、あるいは、この化粧板を、前記特定の一端側の辺と前記他端側の辺とを結ぶ方向が特定の方向を向く第一態様と、前記特定の方向と直交する方向を向く第二態様との間で前記ケーシングに対して着脱可能な構造とすることが考えられる。
【００１２】
しかしながら、上記のように、人検知センサの各センサは、人の有無を検知する方向が各吹出口と対応付けられているので、前記化粧板が前記第一態様から９０度回転された前記第二態様で取り付けられた場合、この室内機は、実際の人の有無に応じた制御を行うことができなくなる。すなわち、前記化粧板が前記第二態様で取り付けられた場合、例えば、前記第二センサは前記第一方向を向き、この方向の人の有無を検知してその情報を前記第二制御部へ送る。そうすると、この第二センサが検知した情報は前記第一方向の人の有無であるにもかかわらず、前記第二制御部は、当該第二センサからの情報に応じて、前記第一風向板ではなく前記第二風向板を調整するといった不具合が生じる。そして、この不具合を解消するには、室内機の据付作業時に、各センサの検知方向に合わせて、前記人検知センサと前記制御部との結線を変えるという非常に煩わしい作業が必要となる。
【００１３】
この発明は、上記のような課題を解決するためになされたものであり、化粧板のケーシングへの取り付け方向を異ならせることが可能であり、かつ、人検知センサの検知する情報に基づいて各吹出口から吹き出す風を適切に制御させるための結線が容易な室内機を提供することを目的とする。
【課題を解決するための手段】
【００１４】
前記課題を解決するための手段として、本発明は、室内の人の存在の有無を検知する人検知センサ（４０）と、この人検知センサ（４０）から受ける情報に基づいた制御を行う制御部と、前記人検知センサ（４０）と前記制御部とを接続する第一ハーネス（４２）と、前記人検知センサ（４０）と前記制御部とを接続する第二ハーネス（４５）と、前記制御部を収容し、かつ、室内側に開いた開口と、室内から取り込んだ空気を第一方向に吹き出す第一吹出口（ｂ１）、第二方向に吹き出す第二吹出口（ｂ２）、第三方向に吹き出す第三吹出口（ｂ３）及び第四方向に吹き出す第四吹出口（ｂ４）とを有するケーシングと、各吹出口（ｂ１〜ｂ４）から吹き出すそれぞれの風の方向を変更する第一風向板（ｄ１）、第二風向板（ｄ２）、第三風向板（ｄ３）及び第四風向板（ｄ４）と、室内の空気を取り込む吸込口（１１ａ）を有し、かつ、前記ケーシングの開口を塞ぐように当該ケーシングに取り付けられるとともに前記人検知センサ（４０）を室内と対向させることが可能な形状を有する化粧板（１１）とを備える室内機であって、前記制御部は、前記第一風向板（ｄ１）の制御を行う第一制御部と、前記第二風向板（ｄ２）の制御を行う第二制御部と、前記第三風向板（ｄ３）の制御を行う第三制御部と、前記第四風向板（ｄ４）の制御を行う第四制御部とを有し、前記人検知センサ（４０）は、各吹出口のうちの所定の吹出口から吹き出される風の方向における人の有無を検知可能な第一センサ部（４０ａ）と、前記第一センサ部（４０ａ）が検知する方向とは異なる方向の吹出口から吹き出される風の方向における人の有無を検知可能な第二センサ部（４０ｂ）と、前記第一センサ部（４０ａ）及び前記第二センサ部（４０ｂ）が検知するそれぞれの方向とは異なる方向の吹出口から吹き出される風の方向における人の有無を検知可能な第三センサ部（４０ｃ）と、前記第一センサ部（４０ａ）、前記第二センサ部（４０ｂ）及び前記第三センサ部（４０ｃ）が検知するそれぞれの方向とは異なる方向の吹出口から吹き出される風の方向における人の有無を検知可能な第四センサ部（４０ｄ）とを有し、所定の向きで前記化粧板（１１）に対して位置決めされており、前記化粧板（１１）は、前記吸込口（１１ａ）内に設けられる吸込グリル（１１ｂ）をさらに有し、この吸込グリル（１１ｂ）は、方向性のあるデザインを有し、前記化粧板（１１）は、前記デザインが特定の方向を向く第一態様と、前記特定の方向と直交する方向を向く第二態様との間で前記ケーシングに対して着脱可能な構造を有し、前記第一ハーネス（４２）は、前記化粧板（１１）が前記第一態様で取り付けられたときに選択的に用いられるものであって、前記第一態様における各センサ部が検知した情報を、それぞれのセンサ部が検知した方向の風向板を制御する各制御部に送り、前記第二ハーネス（４５）は、前記化粧板（１１）が前記第二態様で取り付けられたときに選択的に用いられるものであって、前記第二態様における各センサ部で検知した情報を、それぞれのセンサ部が検知した方向の風向板を制御する各制御部に送る室内機を提供する。
【００１５】
この発明の室内機によれば、前記吸込グリルのデザインの方向性を異ならせることが可能であり、かつ、人検知センサの検知する情報に基づいて各吹出口から吹き出す風を適切に制御させるための結線が容易となる。すなわち、前記化粧板は、前記デザインが特定の方向を向く第一態様と、前記特定の方向と直交する方向を向く第二態様との間で前記ケーシングに対して着脱可能な構造を有するので、前記天井内配管の向きにかかわらず、前記吸込グリルのデザインの方向を所望の方向と一致させることができる。さらに、前記人検知センサは、前記第一態様で取り付けられた場合は、当該第一態様において各センサ部が検知した情報を、それぞれのセンサ部が検知した方向の風向板を制御する各制御部に送る第一ハーネスと接続され、前記第二態様で取り付けられた場合は、当該第二態様において各センサ部が検知した情報を、それぞれのセンサ部が検知した方向の風向板を制御する各制御部に送る第二ハーネスと接続されるので、当該人検知センサがいずれの態様で取り付けられた場合であっても、この人検知センサの検知する情報に基づいて各吹出口から吹き出す風を適切に制御することができる。具体的には、例えば、前記第二センサ部が、前記第一態様において前記第二方向を向いており、前記第二態様において前記第一方向を向いている場合、前記第一態様において前記第二センサ部により検知された情報は、前記第一ハーネスを介して前記第二制御部に送られることにより、この第二制御部は前記第二風向板を制御する。そして、前記第二態様において前記第二センサ部により検知された前記第一方向の情報は、前記第二ハーネスを介して前記第一制御部に送られることになるので、この第一制御部により前記第一風向板が制御される。したがって、前記人検知センサが取り付けられる向きに応じて前記第一ハーネス、あるいは、前記第二ハーネスを選択するだけでよく、室内機の据付時に、当該人検知センサの向きに応じて結線を変えるという煩わしい作業が省かれる。
【００１６】
また、本発明は、室内の人の存在の有無を検知する人検知センサ（４０）と、この人検知センサ（４０）から受ける情報に基づいた制御を行う制御部と、前記人検知センサ（４０）と前記制御部とを接続する第一ハーネス（４２）と、前記人検知センサ（４０）と前記制御部とを接続する第二ハーネス（４５）と、前記制御部を収容し、かつ、室内側に開いた開口と、室内から取り込んだ空気を第一方向に吹き出す第一吹出口（ｂ１）、第二方向に吹き出す第二吹出口（ｂ２）、第三方向に吹き出す第三吹出口（ｂ３）及び第四方向に吹き出す第四吹出口（ｂ４）とを有するケーシングと、各吹出口（ｂ１〜ｂ４）から吹き出すそれぞれの風の方向を変更する第一風向板（ｄ１）、第二風向板（ｄ２）、第三風向板（ｄ３）及び第四風向板（ｄ４）と、室内の空気を取り込む吸込口（１１ａ）を有し、かつ、前記ケーシングの開口を塞ぐように当該ケーシングに取り付けられるとともに前記人検知センサ（４０）を室内と対向させることが可能な形状を有する化粧板（１１）とを備える室内機であって、前記制御部は、前記第一風向板（ｄ１）の制御を行う第一制御部と、前記第二風向板（ｄ２）の制御を行う第二制御部と、前記第三風向板（ｄ３）の制御を行う第三制御部と、前記第四風向板（ｄ４）の制御を行う第四制御部とを有し、前記人検知センサ（４０）は、各吹出口のうちの所定の吹出口から吹き出される風の方向における人の有無を検知可能な第一センサ部（４０ａ）と、前記第一センサ部（４０ａ）が検知する方向とは異なる方向の吹出口から吹き出される風の方向における人の有無を検知可能な第二センサ部（４０ｂ）と、前記第一センサ部（４０ａ）及び前記第二センサ部（４０ｂ）が検知するそれぞれの方向とは異なる方向の吹出口から吹き出される風の方向における人の有無を検知可能な第三センサ部（４０ｃ）と、前記第一センサ部（４０ａ）、前記第二センサ部（４０ｂ）及び前記第三センサ部（４０ｃ）が検知するそれぞれの方向とは異なる方向の吹出口から吹き出される風の方向における人の有無を検知可能な第四センサ部（４０ｄ）とを有し、所定の向きで前記化粧板（１１）に対して位置決めされており、前記化粧板（１１）は、互いに対向する二つの辺を有し、そのうちの一方の辺を回動中心として他方の辺が室内側に開いた開状態と当該他方の辺が前記ケーシングに固定された閉状態との間で変位可能であり、かつ、前記一方の辺と前記他方の辺とを結ぶ方向が特定の方向を向く第一態様と、前記特定の方向と直交する方向を向く第二態様との間で前記ケーシングに対して着脱可能な構造を有し、前記第一ハーネス（４２）は、前記化粧板（１１）が前記第一態様で取り付けられたときに選択的に用いられるものであって、前記第一態様における各センサ部が検知した情報を、それぞれのセンサ部が検知した方向の風向板を制御する各制御部に送り、前記第二ハーネス（４５）は、前記化粧板（１１）が前記第二態様で取り付けられたときに選択的に用いられるものであって、前記第二態様における各センサ部で検知した情報を、それぞれのセンサ部が検知した方向の風向板を制御する各制御部に送る室内機を提供する。
【００１７】
この発明の室内機によれば、前記化粧板の開閉方向を異ならせることが可能であり、かつ、人検知センサの検知する情報に基づいて各吹出口から吹き出す風を適切に制御させるための結線が容易となる。すなわち、前記化粧板は、前記一方の辺と前記他方の辺とを結ぶ方向が特定の方向を向く第一態様と、前記特定の方向と直交する方向を向く第二態様との間で前記ケーシングに対して着脱可能な構造を有するので、前記天井内配管の向きにかかわらず、前記化粧板開閉方向を所望の方向と一致させることができる。さらに、前記人検知センサは、前記第一態様で取り付けられた場合は、当該第一態様において各センサ部が検知した情報を、それぞれのセンサ部が検知した方向の風向板を制御する各制御部に送る第一ハーネスと接続され、前記第二態様で取り付けられた場合は、当該第二態様において各センサ部が検知した情報を、それぞれのセンサ部が検知した方向の風向板を制御する各制御部に送る第二ハーネスと接続されるので、当該人検知センサがいずれの態様で取り付けられた場合であっても、この人検知センサの検知する情報に基づいて各吹出口から吹き出す風を適切に制御することができる。具体的には、例えば、前記第二センサ部が、前記第一態様において前記第二方向を向いており、前記第二態様において前記第一方向を向いている場合、前記第一態様において前記第二センサ部により検知された情報は、前記第一ハーネスを介して前記第二制御部に送られることにより、この第二制御部は前記第二風向板を制御する。そして、前記第二態様において前記第二センサ部により検知された前記第一方向の情報は、前記第二ハーネスを介して前記第一制御部に送られることになるので、この第一制御部により前記第一風向板が制御される。したがって、前記人検知センサが取り付けられる向きに応じて前記第一ハーネス、あるいは、前記第二ハーネスを選択するだけでよく、室内機の据付時に、当該人検知センサの向きに応じて結線を変えるという煩わしい作業が省かれる。
【００１８】
この場合において、前記第一ハーネス（４２）は、前記人検知センサ（４０）が前記第一態様に配置されたときに前記制御部と接続可能な長さ寸法を有し、前記第二ハーネス（４５）は、前記第一ハーネス（４２）の長さ寸法と異なり、かつ、前記人検知センサ（４０）が前記第二態様に配置されたときに前記制御部と接続可能な長さ寸法を有することが好ましい。
【００１９】
このようにすれば、前記人検知センサを取り付ける場合、各態様に応じたハーネスの選択が容易となる。さらに、各ハーネスはその長さが異なることから、据付作業時に、接続すべきハーネスとは異なるハーネスで接続するという間違いが抑制される。
【００２０】
また、本発明において、前記化粧板（１１）は、前記人検知センサ（４０）を室内側に露出させる形状のセンサ用開口（１１ｅ）を有し、前記ケーシング内には、前記第一態様にある化粧板（１１）の前記センサ用開口（１１ｅ）に応じた位置で前記人検知センサ（４０）を支持可能な第一支持部（４１ａ）と、前記第二態様にある化粧板（１１）の前記センサ用開口（１１ｅ）に応じた位置で前記人検知センサ（４０）を支持可能な第二支持部（４１ｂ）が設けられていることが好ましい。
【００２１】
このようにすれば、前記化粧板を前記ケーシングから取り外す際に、前記人検知センサ及びこれに接続されたハーネスが当該化粧板に付随しないので、前記吸込グリルの方向性の変更や、メンテナンスを容易に行うことができる。
【００２２】
また、本発明において、前記第一センサ部（４０ａ）、前記第二センサ部（４０ｂ）、前記第三センサ部（４０ｃ）及び前記第四センサ部（４０ｄ）は、この順で周方向に右回り、あるいは、左回りに９０度間隔で配置されており、前記第一態様では、前記第一センサ部（４０ａ）が前記第一吹出口（ｂ１）から吹き出される風の方向における人の有無を検知し、前記第二センサ部（４０ｂ）が前記第二吹出口（ｂ２）から吹き出される風の方向における人の有無を検知し、前記第三センサ部（４０ｃ）が前記第三吹出口（ｂ３）から吹き出される風の方向における人の有無を検知し、前記第四センサ部（４０ｄ）が前記第四吹出口（ｂ４）から吹き出される風の方向における人の有無を検知し、前記第二態様では、前記第一センサ部（４０ａ）が前記第四吹出口（ｂ４）から吹き出される風の方向における人の有無を検知し、前記第二センサ部（４０ｂ）が前記第一吹出口（ｂ１）から吹き出される風の方向における人の有無を検知し、前記第三センサ部（４０ｃ）が前記第二吹出口（ｂ２）から吹き出される風の方向における人の有無を検知し、前記第四センサ部（４０ｄ）が前記第三吹出口（ｂ３）から吹き出される風の方向における人の有無を検知するか、あるいは、前記第一センサ部（４０ａ）が前記第二吹出口（ｂ２）から吹き出される風の方向における人の有無を検知し、前記第二センサ部（４０ｂ）が前記第三吹出口（ｂ３）から吹き出される風の方向における人の有無を検知し、前記第三センサ部（４０ｃ）が前記第四吹出口（ｂ４）から吹き出される風の方向における人の有無を検知し、前記第四センサ部（４０ｄ）が前記第一吹出口（ｂ１）から吹き出される風の方向における人の有無を検知し、前記第一ハーネス（４２）は、前記第一センサ部（４０ａ）が検知した前記第一方向の情報を前記第一制御部に送る第一電線（４２ａ）と、前記第二センサ部（４０ｂ）が検知した前記第二方向の情報を前記第二制御部に送る第二電線（４２ｂ）と、前記第三センサ部（４０ｃ）が検知した前記第三方向の情報を前記第三制御部に送る第三電線（４２ｃ）と、前記第四センサ部（４０ｄ）が検知した前記第四方向の情報を前記第四制御部に送る第四電線（４２ｄ）とを有し、前記第二ハーネス（４５）は、前記第二センサ部（４０ｂ）が検知した前記第一方向又は前記第三方向の情報を前記第一制御部又は前記第三制御部に送る第一電線（４５ａ）と、前記第三センサ部（４０ｃ）が検知した前記第二方向又は前記第四方向の情報を前記第二制御部又は前記第四制御部に送る第二電線（４５ｂ）と、前記第四センサ部（４０ｄ）が検知した前記第三方向又は前記第一方向の情報を前記第三制御部又は前記第一制御部に送る第三電線（４５ｃ）と、前記第一センサ部（４０ａ）が検知した前記第四方向又は前記第二方向の情報を前記第四制御部又は前記第二制御部に送る第四電線（４５ｄ）とを有することが好ましい。
【００２３】
このようにすれば、前記第一ハーネスは、前記第一センサ部〜前記第四センサ部により検知される情報を前記第一制御部〜前記第四制御部に送ればよいので、その構造が簡素化される。また、前記第二ハーネスについても、各センサ部と各制御部とを結ぶ構造が単純化される。そして、前記人検知センサの各センサ部が周方向に順に並ぶので、当該人検知センサの製造が容易となる。
【発明の効果】
【００２４】
以上のように、本発明によれば、化粧板のケーシングへの取り付け方向を異ならせることが可能であり、かつ、人検知センサの検知する情報に基づいて各吹出口から吹き出す風を適切に制御させるための結線が容易な室内機を提供することができる。
【図面の簡単な説明】
【００２５】
【図１】本発明の一実施形態の室内機の斜視図である。
【図２】図１に示す室内機の内部構造を示す平面図である。
【図３】図１に示す室内機の化粧板及び人検知センサが第一態様で取り付けられた状態を示す平面図である。
【図４】図１に示す室内機の化粧板及び人検知センサが第二態様で取り付けられた状態を示す平面図である。
【図５】図１に示す室内機に用いられる第一ハーネス及び第二ハーネスの概略図である。
【発明を実施するための形態】
【００２６】
本発明の一実施形態の室内機について、図１〜図５を参照しながら説明する。図２は、後述する化粧板１１を取り外して室内側から見た状態を示すものである。図２〜図４は、後述のカバー４０ｅを取り外した状態を示すものである。また、以下の説明では、天井と床とを結ぶ方向、すなわち、室内機の厚み方向を上下方向とする。
【００２７】
図１に示すように、本実施形態における室内機は、天井から吊下げる形式、すなわち、天井吊下型の室内機である。この室内機は、ケーシングと化粧板１１とを備え、これらケーシング及び化粧板１１内に、熱交換器１２と、送風機１４と、ベルマウス１６と、各種制御を行う制御部を有する電装ユニット３０と、室内の人の居場所を検知する人検知センサ４０と、電装ユニット３０と人検知センサ４０とを接続する第一ハーネス４２及び第二ハーネス４５とを備える。さらに、この室内機は、ケーシング及び化粧板１１内に、熱交換器１２から生じる水滴を受けるドレンパン（図示せず）、ドレンパンに溜まった水を吸い上げて室内機外へ排出するドレンポンプ１８、床の温度を検知する床温度センサ４６、室内から取り込む空気中の塵埃を捕捉するエアフィルター（図示せず）等を備える。
【００２８】
ケーシングは、略矩形状を呈し、天井から吊下げられる。このケーシングは、略矩形状の化粧枠１０ａと、化粧枠１０ａの四隅に取り付けられるコーナーカバー１０ｃと、化粧枠１０ａに取り付けられる４つの風向板ｄ１〜ｄ４と、化粧枠１０ａの上部に取り付けられる天板１０ｅと有する。
【００２９】
化粧枠１０ａは、その各辺のそれぞれに設けられた第一表示部ａ１〜第四表示部ａ４と、その各辺のそれぞれに設けられており、室内に向けて風を吹き出すための第一吹出口ｂ１〜第四吹出口ｂ４と、第四吹出口ｂ４が設けられる辺に設けられた第一係止部１０ｆと、第三吹出口表示部ｂ３が設けられる辺に設けられた第二係止部１０ｇと、第一係止部１０ｆが設けられた辺と対向する辺に設けられた第一レバー係止部１０ｈと、第二係止部１０ｇが設けられた辺と対向する辺に設けられた第二レバー係止部１０ｊとを有する。各表示部ａ１〜ａ４は、それぞれ化粧枠１０ａの下面に設けられる。図２に示すように、室内（下）から見て、第一表示部ａ１、第二表示部ａ２、第三表示部ａ３及び第四表示部ａ４は、この順に右回りに設けられる。第一吹出口ｂ１は、第一表示部ａ１が設けられる第一辺に、第二吹出口ｂ２は、第二表示部ａ２が設けられる第二辺に、第三吹出口ｂ３は、第三表示部ａ３が設けられる第三辺に、第四吹出口ｂ４は、第四表示部ａ４が設けられる第四辺にそれぞれ設けられる。各吹出口ｂ１〜ｂ４は、送風機１４から見て、それぞれが第一方向〜第四方向に位置する。各吹出口ｂ１〜ｂ４は、それぞれが各辺の長手方向に沿った一方向に長い形状を有する。第一係止部１０ｆは、ドレンポンプ１８が配置される側である第四辺に設けられており、この辺の長手方向に沿って延びる形状の円筒状、あるいは、円柱状を呈する。なお、本実施形態では、この第一係止部１０ｆは、その長手方向に並ぶように三箇所に設けられている。第二係止部１０ｇは、第一係止部１０ｆが設けられた辺と直交する側の第三辺に設けられており、この辺の長手方向に沿って延びる形状の円筒状、あるいは、円柱状を呈する。なお、本実施形態では、この第二係止部１０ｇも、その長手方向に並ぶように三箇所に設けられている。第一レバー係止部１０ｈ及び第二レバー係止部１０ｊは、後述のレバー１１ｆを係止可能な形状を有する。本実施形態では、いずれのレバー係止部１０ｈ，１０ｊも平板状に形成されている。
【００３０】
コーナーカバー１０ｃは、略Ｌ字状であり、化粧枠１０ａの四隅を覆うように当該化粧枠１０ａに取り付けられる。各風向板ｄ１〜ｄ４は、各吹出口ｂ１〜ｂ４から吹き出すそれぞれの風の向きを調整するものである。各風向板ｄ１〜ｄ４は、一方向に長い形状を有し、その長手方向が各吹出口ｂ１〜ｂ４の長手方向と一致するように化粧枠１０ａに取り付けられる。各風向板ｄ１〜ｄ４は、その長手方向の両端に回動軸（図示せず）を有し、この回動軸が化粧枠１０ａに取り付けられることにより、風向を調整可能となっている。天板１０ｅは、化粧枠１０ａの上部に設けられた開口を覆うように当該化粧枠１０ａに取り付けられる。
【００３１】
化粧板１１は、化粧枠１０ａの下部に取り付けられるものであり、当該化粧枠１０ａの下部に設けられた開口を覆う形状を有する。この化粧板１１は、その略中央に設けられた吸込口１１ａと、この吸込口１１ａ内に設けられた吸込グリル１１ｂと、人検知センサ４０及び床温度センサ４６を室内に露出させるためのセンサ用開口１１ｅと、当該化粧板の一方側の辺近傍に設けられたレバー１１ｆと、このレバー１１ｆが設けられた辺と対向する辺近傍に設けられた被係止部（図示せず）とを有する。
【００３２】
吸込口１１ａは、室内の空気を吸い込む部分であり、略矩形状を呈する。なお、この吸込口１１ａのすぐ上方にエアフィルターが配置される。吸込グリル１１ｂは、吸込口１１ａ内に設けられる桟であり、第一桟部材１１ｃ及び第二桟部材１１ｄを有する。第一桟部材１１ｃは、一方向に長い形状を有し、その長手方向が、吸込口１１ａ内を直線的に横断する第一横断方向と平行な方向となるように配置される。第二桟部材１１ｄは、一方向に長い形状を有し、その長手方向が、前記第一横断方向と直交する第二横断方向と平行な方向となるように配置される。本実施形態では、第一横断方向は、第一表示部ａ１と第三表示部ａ３とを結ぶ方向とし、第二横断方向は、第二表示部ａ２と第四表示部ａ４とを結ぶ方向としている。この第一横断方向は、第一表示部ａ１と第三表示部ａ３とを結ぶ方向から０度より大きく９０度より小さい範囲で所定角度だけ傾いた方向であってもよい。そして、第二桟部材１１ｄは、その数が第一桟部材１１ｃの数よりも少なく、これにより、吸込グリル１１ｂは方向性を有するデザインとなっている。センサ用開口１１ｅは、吸込グリル１１ｂの近傍に設けられており、略矩形状を呈する。具体的には、センサ用開口１１ｅは、第一桟部材１１ｃの長手方向と同方向に長い形状を有し、この内側に、人検知センサ４０と床温度センサ４６とが第一桟部材１１ｃの長手方向と同方向に並んで配置される。
【００３３】
この化粧板１１は、第一桟部材１１ｃの長手方向が前記第一横断方向と一致する第一態様（図３に示す態様）と、第一桟部材１１ｃの長手方向が前記第二横断方向と一致する第二態様（図４に示す態様）との間で化粧枠１０ａに対して着脱可能な構造を有する。具体的には、化粧板１１を化粧枠１０ａに対して前記第一態様で取り付ける場合、化粧板１１の被係止部を化粧枠１０ａの第一係止部１０ｆと係合させ、レバー１１ｆを第一レバー係止部１０ｈと係合させる。同様に、第二態様で取り付ける場合、化粧板１１の被係止部を化粧枠１０ａの第二係止部１０ｇと係合させ、レバー１１ｆを第二レバー係止部１０ｊと係合させる。なお、化粧板１１の被係止部は、化粧枠１０ａの第一係止部１０ｆ、第二係止部１０ｇのいずれにも係合可能な形状を有し、例えば、この被係止部は、各係止部１０ｆ，１０ｇを把持する形状とされる。一対のレバー１１ｆは、互いに近づく方向に変位させたときに、レバー係止部との係合が解除される。すなわち、化粧板１１は、一対のレバー１１ｆが互いに近づく方向に変位されると、その被係止部を回動中心として、レバー１１ｆが設けられた側の辺が室内側に変位するように回動しながら開く。
【００３４】
熱交換器１２は、その内部を冷媒が流れており、室内から取り込まれた空気と熱交換するものである。この熱交換器１２は、図２に示すように、送風機１４を取り囲む形状を有する。具体的には、この熱交換器１２は、化粧枠１０ａの外形に沿うとともに、その両端が同一の角部（図２では右上の角部）で対向する形状を有する。また、この熱交換器１２は、その一方側（図２では下側）の端部が、前記角部の近傍に設置されたドレンポンプ１８と干渉しないように、化粧枠１０ａの内側へ折れ曲がった形状を有する。
【００３５】
送風機１４は、ケーシングの略中央に設けられており、室内から空気を取り込み、熱交換器１２に向けて風を送るものである。具体的には、この送風機１４は、吸込口１１ａを通じて室内から取り込まれた空気が、熱交換器１２を経由して各吹出口ｂ１〜ｂ４から室内に吹き出されるような気流を発生させる。この送風機１４は、前記気流を発生させる形状の羽根車と、この羽根車を回転駆動させるモータとを有する。本実施形態では、このような送風機１４として、遠心送風機（ターボファン）、すなわち、下方から取り込んだ空気を側方へ送り出すことが可能なファンを用いている。なお、送風機１４としては、遠心送風機に限らず、例えば、斜流送風機等を用いることができる。
【００３６】
ベルマウス１６は、室内から取り込まれる空気を送風機１４に導くものである。具体的に、このベルマウス１６は、その中央に上下方向に解放する開口を有しており、この開口の径がケーシングの下面側から上面側に向かって次第に小さくなる形状を有する。このベルマウス１６は、人検知センサ４０を支持する第一支持部４１ａ及び第二支持部４１ｂを有する。第一支持部４１ａは、第一表示部ａ１が設けられた辺と第二表示部ａ２が設けられた辺とに挟まれる角部の近傍に形成される。第二支持部４１ｂは、第一表示部ａ１が設けられた辺と第四表示部ａ４が設けられた辺とに挟まれる角部の近傍に形成される。なお、第一支持部４１ａ及び第二支持部４１ｂを設ける位置としては、前記各角部に限られない。第一支持部４１ａは、化粧板１１が前記第一態様のときのセンサ用開口１１ｅの位置に対応する位置に設けられ、第二支持部４１ｂは、化粧板１１が前記第二態様のときのセンサ用開口１１ｅの位置に対応する位置に設けられる。
【００３７】
人検知センサ４０は、空調室内における人の有無を検知するものである。具体的に、この人検知センサ４０は、第一センサ部４０ａ〜第四センサ部４０ｄと、各センサ部４０ａ〜４０ｄを覆うように設けられるカバー４０ｅとを有する。
【００３８】
第一センサ部４０ａは、各吹出口ｂ１〜ｂ４のうちの所定の吹出口から吹き出す風の方向における人の有無を検知する。第二センサ部４０ｂは、第一センサ部４０ａが検知する方向とは異なる方向の吹出口から吹き出される風の方向における人の有無を検知する。第三センサ部４０ｃは、第一センサ部４０ａ及び第二センサ部４０ｂが検知するそれぞれの方向とは異なる方向の吹出口から吹き出される風の方向における人の有無を検知する。第四センサ部４０ｄは、第一センサ部４０ａ、第二センサ部４０ｂ及び第三センサ部４０ｃが検知するそれぞれの方向とは異なる方向の吹出口から吹き出される風の方向における人の有無を検知する。各センサ部４０ａ〜４０ｄとしては、物体から放射される赤外線放射エネルギーの変動によって、室内における人の有無を検知する指向性を有する赤外線センサが用いられる。
【００３９】
これら各センサ部４０ａ〜４０ｄは、いずれの吹出口から吹き出される風の方向における人の有無を検知するように方向付けされてもよいが、本実施形態では、化粧板１１が前記第一態様（図３に示す態様）で取り付けられる場合は、第一センサ部４０ａが第一吹出口ｂ１から吹き出される風の方向（第一方向）における人の有無を、第二センサ部４０ｂが第二吹出口ｂ２から吹き出される風の方向（第二方向）における人の有無を、第三センサ部４０ｃが第三吹出口ｂ３から吹き出される風の方向（第三方向）における人の有無を、第四センサ部４０ｄが第四吹出口ｂ４から吹き出される風の方向（第四方向）における人の有無をそれぞれ検知するように方向付けされる（第一姿勢）。そして、化粧板１１が前記第二態様（図４に示す態様）で取り付けられる場合は、第一センサ部４０ａが第四吹出口ｂ４から吹き出される風の方向（第四方向）における人の有無を、第二センサ部４０ｂが第一吹出口ｂ１から吹き出される風の方向（第一方向）における人の有無を、第三センサ部４０ｃが第二吹出口ｂ２から吹き出される風の方向（第二方向）における人の有無を、第四センサ部４０ｄが第一吹出口ｂ１から吹き出される風の方向（第三方向）における人の有無をそれぞれ検知するように方向付けされる（第二姿勢）。すなわち、化粧板１１が前記第一態様のときは、第一センサ部４０ａが第一吹出口ｂ１を向く第一姿勢でこの人検知センサ４０が第一支持部４１ａに支持され、前記第二態様のときは、第一センサ部４０ａが第四吹出口ｂ４を向く第二姿勢でこの人検知センサ４０が第二支持部４１ｂに支持される。このように人検知センサ４０が第一支持部４１ａに支持されるときは、化粧板１１は第一態様で取り付けられるので、この人検知センサ４０は、センサ用開口１１ｅから室内側に露出し、人検知センサ４０が第二支持部４１ｂに支持されるときは、化粧板１１は第二態様で取り付けられるので、この人検知センサ４０は、センサ用開口１１ｅから室内側に露出する。つまり、各センサ部４０ａ〜４０ｄは、化粧板１１に対して所定の向きとなるように位置決めされる。
【００４０】
これら各センサ部４０ａ〜４０ｄは、どのように配置されてもよいが、本実施形態では、第一センサ部４０ａ、第二センサ部４０ｂ、第三センサ部４０ｃ及び第四センサ部４０ｄは、この順で同心円状に、かつ、下から見て右回りに９０度間隔で配置している。
【００４１】
カバー４０ｅは、赤外線を通過可能な材料からなり、半球状を呈する。
【００４２】
電装ユニット３０は、人検知センサ４０から受ける情報に応じた制御を行う制御部を有する。この制御部は、第一風向板ｄ１の制御を行う第一制御部と、第二風向板ｄ２の制御を行う第二制御部と、第三三風向板ｄ３の制御を行う第三制御部と、第四風向板ｄ４の制御を行う第四制御部とを有する。具体的に、各制御部は、それぞれの風向板ｄ１〜ｄ４の向きを制御する。
【００４３】
第一ハーネス４２は、化粧板１１が前記第一態様で取り付けられたときに選択的に用いられるものである。図５（ａ）に示すように、この第一ハーネス４２は、電装ユニット３０に接続される制御部側コネクタ４３と、人検知センサ４０に接続されるセンサ側コネクタ４４と、これら各コネクタ間を接続する第一電線４２ａ〜第四電線４２ｄとを有する。第一ハーネス４２は、前記第一姿勢で各センサ部４０ａ〜４０ｄが検知した情報を、それぞれのセンサ部４０ａ〜４０ｄが検知した方向の風向板を制御する各制御部に送るものである。つまり、本実施形態では、第一電線４２ａは、第一センサ部４０ａと第一制御部とを接続し、第二電線４２ｂは、第二センサ部４０ｂと第二制御部とを接続し、第三電線４２ｃは、第三センサ部４０ｃと第三制御部とを接続し、第四電線４２ｄは、第四センサ部４０ｄと第四制御部とを接続する。よって、前記第一姿勢で第一センサ部４０ａが検知した情報は、第一電線４２ａを介して第一風向板ｄ１を制御する第一制御部へ送られ、第二センサ部４０ｂが検知した情報は、第二電線４２ｂを介して第二風向板ｄ２を制御する第二制御部へ送られ、第三センサ部４０ｃが検知した情報は、第三電線４２ｃを介して第三風向板ｄ３を制御する第三制御部へ送られ、第四センサ部４０ｄが検知した情報は、第四電線４２ｄを介して第四風向板ｄ４を制御する第四制御部へ送られる。
【００４４】
第二ハーネス４５は、化粧板１１が前記第二態様で取り付けられたときに選択的に用いられるものである。図５（ｂ）に示すように、この第二ハーネス４５は、第一ハーネス４２と同一の制御部側コネクタ４３及びセンサ側コネクタ４４と、これら各コネクタ間を接続する第一電線４５ａ〜第四電線４５ｄとを有する。第二ハーネス４５は、前記第二姿勢における各センサ部４０ａ〜４０ｄが検知した情報を、それぞれのセンサ部４０ａ〜４０ｄが検知した方向の風向板を制御する各制御部に送るものである。つまり、本実施形態では、第一電線４５ａは、第二センサ部４０ｂと第一制御部とを接続し、第二電線４５ｂは、第三センサ部４０ｃと第二制御部とを接続し、第三電線４５ｃは、第四センサ部４０ｄと第三制御部とを接続し、第四電線４５ｄは、第一センサ部４０ａと第四制御部とを接続する。よって、前記第二姿勢で第一センサ部４０ａが検知した情報は、第四電線４５ｄを介して第四風向板ｄ４を制御する第四制御部へ送られ、第二センサ部４０ｂが検知した情報は、第一電線４５ａを介して第一風向板ｄ１を制御する第一制御部へ送られ、第三センサ部４０ｃが検知した情報は、第二電線４５ｂを介して第二風向板ｄ２を制御する第二制御部へ送られ、第四センサ部４０ｄが検知した情報は、第三電線４５ｃを介して第三風向板ｄ３を制御する第三制御部へ送られる。
【００４５】
次に、人検知センサ４０及び化粧板１１のそれぞれの態様での取り付け、及びその態様における風の制御について説明する。
【００４６】
まず、化粧板１１を前記第一態様で取り付ける場合について説明する。この場合、人検知センサ４０を第一支持部４１ａに取り付ける。このとき、人検知センサ４０は前記第一姿勢で取り付けられることになり、当該人検知センサ４０と電装ユニット３０とを第一ハーネス４２により接続する。そして、化粧板１１の被係止部（図示せず）を化粧枠１０ａの第一係止部１０ｆと係合させ、レバー１１ｆを第一レバー係止部１０ｈと係合させる。その後、室内機側の配管と天井内に引き回された天井内配管とを接続して当該室内機を天井に設置する。
【００４７】
この状態で室内機を駆動動作させると、第一センサ部４０ａは、第一方向の人の有無を検知し、この情報が第一ハーネス４２の第一電線４２ａを介して電装ユニット３０の第一制御部に送られる。そうすると、第一制御部は、その情報に基づいて第一風向板ｄ１の向き等を調整する。このことは、その他のセンサ部に関しても同様である。
【００４８】
続いて、化粧板１１を前記第二態様で取り付ける場合について説明する。この場合、人検知センサ４０を第二支持部４１ｂに取り付ける。このとき、人検知センサ４０は前記第二姿勢で取り付けられることになり、当該人検知センサ４０と電装ユニット３０とを第二ハーネス４５により接続する。なお、このとき、第一センサ部４０ａが第四方向を向いている。そして、化粧板１１の被係止部（図示せず）を化粧枠１０ａの第二係止部１０ｇと係合させ、レバー１１ｆを第二レバー係止部１０ｊと係合させる。その後、室内機側の配管と天井内に引き回された天井内配管とを接続して当該室内機を天井に設置する。
【００４９】
この状態で室内機を駆動動作させると、第一センサ部４０ａは、第四方向の人の有無を検知し、この情報が第二ハーネス４５の第四電線４５ｄを介して電装ユニット３０の第四制御部に送られる。そうすると、第四制御部は、その情報に基づいて第四風向板ｄ４の向き等を調整する。このことは、その他のセンサ部に関しても同様である。
【００５０】
以上説明したように、本実施形態の室内機によれば、化粧板１１が第一態様及び第二態様で化粧枠１０ａに対して取り付け可能であるので、第一桟部材１１ｃの長手方向及び当該化粧板１１の開く方向を異ならせることができる。さらに、その方向がいずれの場合であっても、人検知センサ４０の検知する情報に基づいて各吹出口ｂ１〜ｂ４から吹き出す風を適切に制御することができる。換言すれば、本実施形態の室内機では、第一桟部材１１ｃの長手方向を調整したことに伴う人検知センサ４０のもつ方向性のずれは、二種類のハーネスを用いることにより修正される。
【００５１】
また、本実施形態の室内機では、第一ハーネス４２と第二ハーネス４５との長さ寸法が異なるので、人検知センサ４０を取り付ける場合、各姿勢に応じたハーネスの選択が容易となる。
【００５２】
また、本実施形態の室内機は、化粧板１１がセンサ用開口１１ｅを有し、ベルマウス１６が人検知センサ４０を前記第一姿勢に支持可能な第一支持部４１ａ及び前記第二姿勢に支持可能な第二支持部４１ｂを有する。よって、化粧板１１を化粧枠１０ａから取り外す際に、人検知センサ４０及びこれに接続されたハーネスが当該化粧板１１に付随しないので、第一桟部材１１ｃの長手方向の変更や、当該室内機のメンテナンスを容易に行うことができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
例えば、上記本実施形態では、各センサ部４０ａ〜４０ｄの方向付けを上記のように決定したが、例えば、前記第一態様において、第一センサ部４０ａが第三吹出口ｂ３から吹き出される風の方向（第三方向）における人の有無を、第二センサ部４０ｂが第四吹出口ｂ４から吹き出される風の方向（第四方向）における人の有無を、第三センサ部４０ｃが第一吹出口ｂ１から吹き出される風の方向（第一方向）における人の有無を、第四センサ部４０ｄが第二吹出口ｂ２から吹き出される風の方向（第二方向）における人の有無をそれぞれ検知するように方向付けてもよい。この場合、第一ハーネス４２として、第一電線４２ａが第三センサ部４０ｃと第一制御部とを接続し、第二電線４２ｂが第四センサ部４０ｄと第二制御部とを接続し、第三電線４２ｃが第一センサ部４０ａと第三制御部とを接続し、第四電線４２ｄが第二センサ部４０ｂと第四制御部とを接続するものを用いればよい。この場合の第二態様で用いる第二ハーネス４５としては、化粧板１１が右回りに９０度回転される場合と左回りに９０度回転される場合とで異なるが、上記実施形態で説明したように、各センサ部が検知する方向の吹出口を制御する制御部と接続するように各電線を結線すればよい。
【００５５】
また、本実施形態では、各センサ部４０ａ〜４０ｄが、同心円状に右回りに９０度間隔で配置された例を示すが、各センサ部４０ａ〜４０ｄは、各方向の人の有無が検知可能であれば、左回りの配置でもよく、また、同心円状でない配置でもよく、さらには、直線状に並ぶような配置でもよい。つまり、各センサ部４０ａ〜４０ｄは、上記実施形態の方向付け及び配置に限らず、様々な方向付け及び配置が可能である。
【００５６】
また、本実施形態では、第一支持部４１ａ及び第二支持部４１ｂがベルマウス１６に設けられた例について示したが、これら支持部は、ベルマウス１６に限らず、ドレンパン等のケーシング内に配置される機器に設けられてもよい。
【００５７】
また、上記実施形態では、天井吊下型の室内機を例に挙げて説明したが、本発明は、ケーシングを天井内に埋め込んだ天井埋込型の室内機にも適用が可能である。この場合、ケーシングにおける各吹出口ｂ１〜ｂ４は、天井から室内に向けて開放する形状の開口となる。また、この場合の各風向板ｄ１〜ｄ４は、ケーシングに取り付けられてもよく、あるいは、化粧板に取り付けられてもよい。そして、この場合、化粧板とは、前記ケーシングの下部に取り付けられる化粧パネルのうち、吸込グリルを有し、かつ、前記ケーシングに対して前記第一態様と前記第二態様との間で着脱可能な部分を指す。
【符号の説明】
【００５８】
１０ａ  化粧枠
１０ｂ  吹出口
１０ｃ  コーナーカバー
１０ｅ  天板
１０ｆ  第一係止部
１０ｇ  第二係止部
１０ｈ  第一レバー係止部
１０ｊ  第二レバー係止部
１１    化粧板
１１ａ  吸込口
１１ｂ  吸込グリル
１１ｃ  第一桟部材
１１ｄ  第二桟部材
１１ｅ  センサ用開口
１１ｆ  レバー
１２    熱交換器
１４    送風機
１６    ベルマウス
１８    ドレンポンプ
３０    電装ユニット
４０    人検知センサ
４０ａ  第一センサ部
４０ｂ  第二センサ部
４０ｃ  第三センサ部
４０ｄ  第四センサ部
４０ｅ  カバー
４１ａ  第一支持部
４１ｂ  第二支持部
４２    第一ハーネス
４２ａ  第一電線
４２ｂ  第二電線
４２ｃ  第三電線
４２ｄ  第四電線
４３    制御部側コネクタ
４４    センサ側コネクタ
４５    第二ハーネス
４５ａ  第一電線
４５ｂ  第二電線
４５ｃ  第三電線
４５ｄ  第四電線
４６    床温度センサ
ａ１    第一表示部
ａ２    第二表示部
ａ３    第三表示部
ａ４    第四表示部
ｂ１    第一吹出口
ｂ２    第二吹出口
ｂ３    第三吹出口
ｂ４    第四吹出口
ｄ１    第一風向板
ｄ２    第二風向板
ｄ３    第三風向板
ｄ４    第四風向板
【図１】
0005660060.tif 000002
【図２】
0005660060.tif 000003
【図３】
0005660060.tif 000004
【図４】
0005660060.tif 000005
【図５】
0005660060.tif 000006